(57)【特許請求の範囲】
【請求項１】
第１及び第２のブーツを吊すためのブーツハンガ装置であって、
上側吊し部と、
第１の上向きの足部を有する第１のブーツ支持脚であって、該第１の上向きの足部は、前記第１のブーツが該第１のブーツ支持脚に置かれると前記第１のブーツの甲部と係合するように構成される、第１のブーツ支持脚と、
第２の上向きの足部を有する第２のブーツ支持脚であって、該第２の上向きの足部は、前記第２のブーツが該第２のブーツ支持脚に置かれると前記第２のブーツの甲部と係合するように構成される、第２のブーツ支持脚と、
前記上側吊し部と前記第１および第２のブーツ支持脚の各々とは、前記第１および第２のブーツ支持脚が前記上側吊し部の後側から前記上側吊し部の前側へ向かって延びるように、且つ、前記第１のブーツが前記第１のブーツ支持脚に置かれると前記第１のブーツが水平面から所望のオフセット角度（Θ）の範囲で非垂直位置に揺動自在に吊されるように、且つ、前記第２のブーツが前記第２のブーツ支持脚に置かれると前記第２のブーツが水平面から前記所望のオフセット角度（Θ）の範囲で非垂直位置に揺動自在に吊されるように、前記上側吊し部の後側で平衡部によって接続され、前記所望のオフセット角度（Θ）は水平面から１度よりも大きいことを特徴とするブーツハンガ装置。
【請求項２】
前記オフセット角度Θは、水平面から６５度未満であることを特徴とする請求項１に記載のブーツハンガ装置。
【請求項３】
前記第１および第２の上向きの足部は、それぞれ、前記第１および第２のブーツ支持脚に対して角度θ’で配置され、Θはθ’未満であることを特徴とする請求項１に記載のブーツハンガ装置。
【請求項４】
前記第１および第２のブーツ支持脚は、ブーツハンガ装置が前記上側吊し部の周りで回動するときの回動軸から１３センチメートルより大きく離間した位置に設けられることを特徴とする請求項１に記載のブーツハンガ装置。
【請求項５】
前記第１および第２のブーツ支持脚は、ブーツハンガ装置が前記上側吊し部の周りで回動するときの回動軸から１５センチメートルより大きく離間した位置に設けられることを特徴とする請求項１に記載のブーツハンガ装置。
【請求項６】
前記第１および第２のブーツ支持脚は、ブーツハンガ装置が前記上側吊し部の周りで回動するときの回動軸から１７センチメートルより大きく離間した位置に設けられることを特徴とする請求項１に記載のブーツハンガ装置。
【請求項７】
前記第１および第２のブーツ支持脚ならびに前記第１および第２の上向きの足部によって規定される全長は、該第１および第２のブーツ支持脚の水平面に沿って測定すると、３９センチメートルより大きいことを特徴とする請求項１に記載のブーツハンガ装置。
【請求項８】
前記第１および第２のブーツ支持脚ならびに前記第１および第２の上向きの足部によって規定される全長は、該第１および第２のブーツ支持脚の水平面に沿って測定すると、４５センチメートルより大きいことを特徴とする請求項１に記載のブーツハンガ装置。
【請求項９】
前記第１および第２の上向きの足部は、それぞれ、前記第１および第２のブーツ支持脚が水平面に沿って配向されると、前記第１および第２のブーツ支持脚の最も高い部分上を６センチメートルより大きく延びることを特徴とする請求項１に記載のブーツハンガ装置。
【請求項１０】
前記第１および第２の上向きの足部は、それぞれ、前記第１および第２のブーツ支持脚が水平面に沿って配向されると、前記第１および第２のブーツ支持脚の最も高い部分上を８センチメートルより大きく延びることを特徴とする請求項１に記載のブーツハンガ装置。
【請求項１１】
前記第１および第２の上向きの足部は、それぞれ、前記第１および第２のブーツ支持脚に対して２５度より大きい角度θ’で配置されることを特徴とする請求項１に記載のブーツハンガ装置。
【請求項１２】
前記第１および第２の上向きの足部は、それぞれ、前記第１および第２のブーツ支持脚に対して４５度より大きい角度θ’で配置されることを特徴とする請求項１に記載のブーツハンガ装置。
【請求項１３】
前記第１のブーツ支持脚と前記第２のブーツ支持脚との間に配置される寸法および規模に形成される第１の部分を有する連結部をさらに備えることを特徴とする請求項１に記載のブーツハンガ装置。
【請求項１４】
前記連結部は、少なくとも１つのブーツハンガ装置の上側吊し部を受承する寸法および規模に形成される第２の部分をさらに有することを特徴とする請求項１３に記載のブーツハンガ装置。
【請求項１５】
少なくとも１つのブーツハンガ装置の上側吊し部を受承する寸法および規模に形成される第１の部分を有する連結部をさらに備えることを特徴とする請求項１に記載のブーツハンガ装置。
【請求項１６】
さらに取手部を含むことを特徴とする請求項１に記載のブーツハンガ装置。
【発明の詳細な説明】
【技術分野】
【０００１】
様々な構成の対のブーツを収納または展示するために、多くのブーツハンガ装置が過去に開発されている。
【背景技術】
【０００２】
そのような過去のブーツハンガは、収納空間をうまく使用できず、収納領域内に設置または再配置することが困難であり、縦軸線に沿った複数の対のブーツを吊すとともに収納することができず、収納されたブーツを見るための理想的な角度が得られず、元のブーツの形状を保持するように良好に支持することができず、かつ／または様々な長さおよび重量のブーツを収容することができない。そのような以前のブーツハンガの１つが２０１０年５月５日付けの眞下卓也の特許文献１（以下、特許文献１とする）に開示されている。本願の先行技術文献として英抄とともに挙げておく。特許文献１の要約書および関連する図面は、キャビネット（Ｓ１）内の縦の空間に沿って配置される複数のハンガ（３）を示す。ハンガ（３）の各々は、１つの支持される靴またはブーツ内に挿入される。したがって、各対の収納される靴またはブーツのための２つの個別のハンガを提供する必要がある。図面は、特許文献１が異なる軸体長さを有するブーツを支持するための任意の調整手段を備えないことを明確に示す。また、ハンガをキャビネット壁部に固定することに使用される機械的な固定構造体により、ユーザがブーツハンガを設置するか再配置することは困難または不便である。特許文献１に開示される実施形態において、任意のユーザが柔軟なブーツ軸体を固定ブーツハンガの上方に、特にブーツが装填された隣接するハンガとともに摺動させることは困難であろう。
【０００３】
別の周知のブーツハンガ装置が、１９９３年７月６日にＫｏｒｅｓｋｏに付与された特許文献２に開示される。特許文献２においては、特許文献１による教示が経験したハンガの設置や再配置の困難を、クローゼット棒の選択された位置に容易に設置または再配置されるフック（３）によってクローゼット棒に取り付けられるブーツハンガ（１）を設けることにより克服する。しかしながら、特許文献２によるハンガは、ハンガから対のブーツを吊すために、ブーツループ（このループは通常「内側張引部」とも呼ばれる）を介して挿入される一対のアーム部材（５３）を有する支持部（５）を備える（カラム６第１７乃至１９行）。開示されるように、特許文献２によるハンガは、内側張引部を有さないブーツと組み合わせて使用することができず、また、ハンガは、付加的なブーツハンガを縦軸線に沿って吊す手段を備えない。特許文献２のブーツ収納装置では、複数の対のブーツがクローゼット棒に沿って収納される場合、服の空間が低減されるため、クローゼット空間の使用が限定され、これにより、収納されたブーツの下方に大量の縦の空間が残り、縦の空間が浪費され、使用不能となる。
【０００４】
１９９４年３月１５日にエドモンドソンに発行された特許文献３（以下、特許文献３と呼ぶ）は、５対のウェスタンブーツをドアの上端から縦に吊すことのできるブーツハンガを設けることによって、特許文献２の装置に固有の非効率な空間利用をいくらか改善するが、個別のブーツは、同様にハンガからそのブーツループあるいは内側張引部によって吊される。通常の内部のドアの長さは、その長さ部分に沿って８０インチ（約２．０３メートル）である。特許文献３によるブーツハンガシステムが対のウェスタンスタイルの膝下の長さのブーツよりむしろ女性の膝までの長さのファッションブーツを吊すことに使用される実例において、特許文献３によるブーツハンガシステムは、良好な収納空間利用に対して効率的なものではない。「ウィキペディアの無料百科事典」上で見つかった情報に基づいて、そのようなファッショナブルな膝までの長さのブーツの寸法は、ブーツの底部からブーツ軸体の頂部までの高さが１５乃至１９インチ（約３８．１センチメートル乃至約４８．２６センチメートル）以上である。そのような実例において、特許文献３のハンガシステムは、８０インチ（約２．０３メートル）のドアの長さ部分に沿って、縦の一連の約４対の１５インチ（約３８．１センチメートル）のブーツのみを掛けるか吊すのみであり、また、約３対の１９インチ（約４８．２６センチメートル）のブーツを吊すのみである。これに対し、本明細書に開示される様々な実施形態においては、同じ８０インチ（約２．０３メートル）の長さ部分に沿って内側張引部を含むブーツに関わりなく、１５インチ（約３８．１センチメートル）および１９インチ（約４８．２６センチメートル）のうちのいずれかのハイブーツを８対も縦に吊すことができる。
【先行技術文献】
【特許文献】
【０００５】
【特許文献１】特開２０１０−１１５３００号明細書
【特許文献２】米国特許第５２２４６０７号明細書
【特許文献３】米国特許第５２９４００７号明細書
【発明の概要】
【発明が解決しようとする課題】
【０００６】
したがって、ブーツ収納を改善する他、とりわけクローゼットやワードローブにおけるブーツおよび他の服のための収納空間をより効率的に利用することができるブーツハンガシステムおよび方法に対する満たされない要求が依然として存在する。
【課題を解決するための手段】
【０００７】
したがって、本発明は、収納空間の利用および効率を改善するブーツハンガシステムおよび方法を提供することを第１の課題とする。
本発明は、収納領域内に設置または再配置するために単純であるブーツハンガシステムを提供することを別の課題とする。
【０００８】
本発明は、縦軸線に沿って一連のブーツハンガを吊すブーツハンガシステムおよび方法を提供することを別の課題とする。
本発明は、水平軸線に沿ってブーツハンガの列を二者択一で吊すことができるブーツハンガシステムおよび方法を提供することを別の課題とする。
【０００９】
本発明は、一連の吊されたブーツハンガにおいて、ブーツハンガを付加するか取り払う複雑でない手段を有するブーツハンガシステムおよび方法を提供することを別の課題とする。
【００１０】
本発明は、吊されるブーツハンガの各々が縦の収納空間を効率的に利用できる目的の傾斜角度で吊されるブーツハンガシステムおよび方法を提供することを別の課題とする。
本発明は、着用した際の履き心地、寿命、および外観を損なうしわ、折り目、および同様の変形を防止することにより、元のブーツの形状を保持するように支持するブーツハンガシステムおよび方法を提供することを別の課題とする。
【００１１】
本発明は、ブーツの寸法およびブーツの重量が変化した際に、目的の傾斜角度に吊されたブーツハンガを保持するブーツハンガシステムおよび方法を提供することを別の課題とする。
【００１２】
本発明は、迅速かつ容易にブーツを取り払うことのできるブーツハンガシステムおよび方法を提供することをさらなる課題とする。
ブーツハンガ装置は、上側吊し部およびブーツ支持脚を備え、上側吊し部およびブーツ支持脚は平衡部によって連結される。任意により、少なくとも１本のブーツ支持脚は２本のブーツ支持脚を含む。任意により、ブーツ支持脚の各々は、上向きの足部を備える。足部は、ブーツがブーツ支持脚に配置される際にブーツの足の甲と係合するように構成される。任意により、平衡部は、ブーツがブーツ支持脚に配置される際に、水平面から所望のオフセット角度（Θ）の角度範囲内にブーツ支持脚を保持するように作動する。好ましくは、オフセット角度Θは水平面から約６５度未満である。
【図面の簡単な説明】
【００１３】
【図１】一実施形態によるブーツハンガを示す等角図。
【図１Ａ】別例による、フックを有するブーツハンガの一部を示す等角図。
【図２】図１に示すブーツハンガを示す平面図。
【図３】本ブーツハンガシステムにおいて使用される図１のブーツハンガを示す等角図。
【図３Ａ】本ブーツハンガシステムにおける連結スリングを示す等角図。
【図３Ｂ】本ブーツハンガシステムにおいて使用される連結梯子を示す等角図。
【図４】図２の線４−４に沿った断面図。
【図５】本ブーツハンガシステムにおいて使用される図３Ｂの連結梯子を示す等角図。
【図６】所定の寸法のブーツおよび所定の重量のブーツを収容するための調整手段を備える図１のものと同様のブーツハンガを示す等角図。
【図６Ａ】所定の寸法のブーツを収容するために調整される図６のブーツハンガを示す等角図。
【図６Ｂ】所定の重量のブーツを収容するために調整される図６のブーツハンガを示す等角図。
【図６Ｃ】所定の寸法のブーツおよび所定の重量のブーツの両者を収容するために調整される図６のブーツハンガを示す等角図。
【図６Ｄ】ブーツハンガの平衡のために錘を付加する一手段を示す断片的な図。
【図６Ｅ】ブーツハンガの平衡のために錘を付加する付加的な手段を示す断片的な図。
【図７】ブーツに挿入される図６Ｃのブーツハンガを示す図。
【図８】図３Ｂの連結梯子と組み合わせて使用される別例によるブーツハンガを示す等角図。
【図９】本ブーツハンガシステムにおいて使用される図８のブーツハンガを示す等角図。
【図１０】所定の寸法のブーツおよび所定の重量のブーツを収容するために調整される図８のものと同様のブーツハンガを示す等角図。
【図１１】所定の寸法のブーツおよび所定の重量のブーツを収容するために調整される図１０のブーツハンガを示す等角図。
【図１２】図３Ｂの連結梯子と組み合わせて使用される別例によるブーツハンガを示す等角図。
【図１３】一連の吊されるブーツハンガに使用される連結棒を示す等角図。
【図１４】隣接したブーツハンガに固定される図１３の連結棒を示す等角図。
【図１５】一連の吊されるブーツハンガに使用される図１３の連結棒を示す正面立面断面図。
【図１６】本発明において使用される別例による連結部であって、特に連結部が相互に取り付けられる方法を示す等角図。
【図１７】本発明において使用される別例による連結部を示す等角図。
【図１８】本発明において使用される別例によるブーツハンガを示す等角図。
【図１９】本発明の実施形態による、ハンガが吊り下げられる支持体を中心としてハンガが回動することにより、回動軸から設けられるブーツ支持脚および上向きの角度をなす足部が隣接するブーツハンガおよびこれらに吊されるブーツを取り除き、これにより、容易にブーツを挿入および取り払うことができる方法を特に透明に示す右側正射影図。
【図２０】正確に図１と同じ実施形態、構成および透明度を示す等角図。
【図２１】本発明において使用される別例によるブーツハンガを示す等角図。
【図２１Ａ】図２１に示すブーツハンガの右側正射影図。
【図２１Ｂ】図２１に示すブーツハンガの平面図。
【図２１Ｃ】図２１に示すブーツハンガの正面立面図。
【図２２】本発明において使用される別例による連結部の２つの例であって、特に連結部が相互に取り付けられる方法を示す等角図。
【図２３】本発明において使用される別例による連結部を示す等角図。
【図２４】本発明において使用される別例による連結部を示す断片的な図であって、特に２つの同様の連結部が相互に取り付けられる接合部を示す図。
【発明を実施するための形態】
【００１４】
本発明は、収納領域内の利用可能な空間を十分に活用するためのブーツハンガおよびブーツハンガシステム、並びに、縦軸線に沿って１つ以上のブーツハンガを吊す方法に関する。本明細書は、ここに開示されるとともに図面に示される参照符号を付された要素の参照を含め、上記図面を参照する。読者は、例えば同じまたは同様の要素を有する異なる実施形態を横断する一連の参照符号を採用することにより、同様の参照符号が同様の要素を示すものと指示される。例えば、要素１、１０１、２０１、３０１、４０１、５０１、６０１、および７０１は各々、「ブーツハンガ」に相当する。したがって、図面に関連付けられて明細書に導入される参照符号は、他の要素を描写するために明細書に付加的に記載されることなく１つ以上の後続の図面において繰り返されてもよい。本明細書中に各要素の所定の記載がない状態において、参照符号を付された一連の方法および図面により、開示されるとともに特許請求の範囲に記載される本発明に関する当業者なら誰にでも完全に実施することができる。
【００１５】
以下の詳細な説明により、好ましい例示的な実施形態のみが開示されるが、これは、本発明の範囲、応用可能性や、構成を限定するように意図されるものではない。より正確に言えば、好ましい例示的な実施形態を確実に詳細に開示することにより、当業者は、本発明の好ましい例示的な実施形態を実施することができる。添付の特許請求の範囲に記載されるように、様々な変更が、本発明の趣旨および範囲から逸脱することなく要素の機能および構成になされてもよいものといえる。
【００１６】
本発明について開示することを支援するために、方向を示す用語（例えば、上部、下部、左、右等）が、本発明の部分を開示するべく明細書および特許請求の範囲において使用される。これらの方向の定義は、本発明についての開示および特許請求の範囲の記載を支援することのみを意図したものであり、いかなる方法においても本発明を限定することを意図したものではない。
【００１７】
ここで使用されるように、用語「前方」はクローゼット棒の外側に面する側に沿った（クローゼット棒の正面に立っているユーザに向かった）位置を示す。
用語「後方」は、前側の反対側に沿った、クローゼット壁部に向かう、クローゼット棒の正面に立っているユーザから離間した位置を示す。
【００１８】
さらにここで使用されるように、用語「前方へ」は、クローゼット棒の前側に沿ったまたは隣接する方向または位置を示し、用語「後方へ」は、クローゼット棒の後側に沿ったまたは隣接する方向または位置を示す。
【００１９】
ここで使用されるように、「平衡部」は、さらに後述するように、ブーツがブーツハンガ装置に設置される際などに、水平軸線または面（Ｙ−Ｙ）に対して所望の位置にブーツハンガ装置を保持する任意の装置を示す。
【００２０】
図面を参照して、図１、図２、図３、および図４に、本願の一実施形態によるブーツハンガシステムおよび方法を示す。図示のように、本実施形態は、公知のクローゼット、ワードローブ等の構造体に設けられる棚、妻梁、天井、ドア、クローゼット棒、あるいは他の吊し装置のような吊し装置２から吊り下げられるように構成される少なくとも１つのブーツハンガ１を備える。「吊し装置」は、連結部、クローゼット棒、フック、ピン、釘、ボルト、棚、ひも、ロープ、ケーブル、鎖、物干し綱、木、大枝、根太、棒、チューブ、ループ、リング、ボールジョイント等のうちの任意のものを含むが、これらに限定されるものではない。
【００２１】
先の課題および効果を満たす点において、本発明は、ブーツハンガおよびブーツハンガシステム、並びに共通の縦軸線に沿って吊される「一連」のブーツハンガを設ける方法を含む。ブーツハンガの各々は、クローゼット棒のような吊し装置に対して、あるいはこれに代えて、および付加的に、一連のブーツハンガにおける別のブーツハンガまたは連結部に対して取り付けられるようなフックや他の好適な吊し部と、フックから延びるとともに一対のブーツを吊すための支持脚を含む平衡アセンブリとを備える。平衡アセンブリは、吊された一対のブーツにより使用時にブーツハンガに対して不均衡な負荷が作用する際等に、回動を制御するとともに目的の傾斜角度シータΘを保持するように設けられる。
【００２２】
一例において、ブーツハンガ１は、吊し装置２（図３にクローゼット棒として示す）に取り付けられるように構成された吊し部４を備える。吊し装置２は任意のタイプであり、ブーツハンガ１の上または下に設けられ、例として、ブーツハンガの上の棚またはクローゼット棒、あるいはブーツハンガ１の下に設けられる床や他の支持面から延びる棒や他の剛性を備えた縦の支持部が挙げられるがこれらに限定されるものではない。吊し部４は、ループ、ストラップ、バンド、ワイヤ、フック、あるいは他の公知の取り付け手段であれ、吊し装置２と係合する恒久的、一時的、かつ／または取り払い可能な任意の取り付け手段を備える。図１乃至２１において、吊し部４は、吊し装置２と係合するように構成されるフック状部として図示され、これにより、ブーツハンガ１を吊し装置２（クローゼット棒のような）に取り付ける。任意の実施形態において、ブーツハンガ１は平衡部３を備える。図１乃至３を再び参照して、平衡部３は、フック状の吊し部４の前側の下および前側に沿って位置されるものとして図示される。本実施形態において、平衡部３は、フック状の吊し部４の前側から吊し部４の後側に向かって延びる平衡アーム５をさらに備える。本実施形態において、平衡アーム５は、フック状の吊し部４の後側に沿って位置するＴ字状の後端部材６で終端する。Ｔ字状の後端部材６も、フック状の吊し部４の前側に沿って位置される上向きに角度をなす足部８ａに連結されるとともに前方に延びる第１のブーツ支持脚７ａに接続される。図１に示すように、Ｔ字状の後端部６の反対側の端部は、前方に延びるとともに上向きに角度をなす足部８ｂで終端する第２のブーツ支持脚７ｂに接続される。足部８ａおよび８ｂの各々は、平衡アーム５の前側の位置でフック状の吊し部４の前側に沿って位置され、また、ブーツ支持脚７ａおよび７ｂ並びに足部８ａおよび８ｂの各々は、互いに間隔をおいてかつ平衡アーム５から間隔をおいて配置され、これにより、足部８ａおよび８Ｂの各々を覆うように、かつ支持脚７ａおよび７ｂの各々を覆うように、ブーツ９の開放端部が摺動するために十分な余地が設けられる。
【００２３】
支持脚７ａおよび７ｂが十分に１足以上のブーツ９を支持するように、支持脚７ａおよび７ｂ並びに上向きに角度をなす足部８ａおよび８ｂの両者は、有効長を含む。図１９および図２０に示すように、例えば、ブーツ９の各々は、軸体部９ａ、甲部９ｂ、およびつま先部９ｃを含む。ブーツがハンガ１に設置される際に、対応する支持脚７および足部８はブーツ９の内部と係合し、例えば角度をなす足部８ａが甲部９ｂと係合し、これにより、つま先部９ｃを上向きに保持するとともに軸体９ａが支持脚７に沿って摺動することが防止される。したがって、ブーツ９の形状が保持され、ブーツがハンガに弾性的に保持される。図４に示すように、平衡部３および後端部材６は、各支持脚７の後部とともに、一対のブーツ９が支持脚７ａおよび７ｂに対して長手方向に吊られる際に、フック状の吊し部４に作用される回動力を制御する。これにより、装填されたブーツハンガ１全体は、吊し装置２（ここでクローゼット棒として図示される）を中心としてそのフック状の吊し部４で、水平面からオフセット角度シータΘ等の所望の目的の下方の傾斜面または傾斜角度に回動する。平衡部３、後端部材６、並びにブーツ支持脚７ａおよび７ｂの後部の組み合わされた長さおよび重量、並びに吊されるブーツハンガ１の質量の中心は、予め決定され、これにより、ブーツハンガ１は、図４に示すように、一対のブーツ９が装填される際に、目的の傾斜角度シータΘを有する下方の傾斜面に回動する。この装填状態において、図４のブーツハンガ１および１ａに示すように、支持脚７ａおよび７ｂは、吊されるブーツの軸体９ａ内にあり、角度をなす足部８ａおよび８ｂは、各ブーツの甲部９ｂと係合し、つま先部９ｃを上向きに保持する。目的の傾斜角度シータΘは、支持されるブーツの重量分配に応じて変化するが、好ましくは、水平軸線Ｙ−Ｙの下約６５度未満であり、約２５度の好ましい目的の傾斜角度シータΘであり、好ましくは少なくとも約１度より大きい。そのような好ましい浅い目的の傾斜角度により、上述したような公知のブーツハンガ装置と比較すると、より多くのブーツハンガ１を縦軸線Ｘ−Ｘに沿って吊すことができるため、縦の収納空間の利用が改善される。非装填状態、すなわち吊されるブーツがない状態において、図４にブーツハンガ１ｘで示すように、ブーツハンガの傾斜角度は、目的の傾斜角度シータより小さい（あるいは未満である）（つまり、図の符号に示すように「傾斜角度＜Θ」）。
【００２４】
上述したように、平衡部は、ブーツ９がブーツ支持脚７に配置される際に、水平面から所望のオフセット角度（Θ）の角度範囲内にブーツ支持脚７を保持するように作動する。好ましくは、オフセット角度Θは水平面から約６５度未満である。好ましくは、ブーツ支持脚７は、上向きの足部をさらに含む。足部８は、ブーツ９がブーツ支持脚７に配置され、オフセット角度Θが上向きの足部８の角度未満である場合に、ブーツ９の甲部９ｂと係合するように構成される。これにより、上向きの足部は、ハンガが装填されるとともに目的のオフセット角度Θに回動しても、なお上方向に配向される。任意により、ブーツ支持脚７ａおよび７ｂは、回動軸から約１３センチメートルより大きい位置に設けられ、好ましくは、約１５乃至約１７センチメートルより大きい位置に設けられる。例において、ブーツハンガ装置は、支持脚の水平面に沿って測定されると、約３９乃至約４５センチメートルより大きい全長を有する。好ましくは、上向きの足部８は、ブーツ支持脚７が水平面に沿って配向される際に、約６乃至約８センチメートルより大きくブーツ支持脚７の位置の上を延びる。好ましくは、上向きの足部８は、水平面上に約２５度乃至約４５度より大きいオフセット角度を有する。
【００２５】
図１Ａは、図１と略同様の、吊し部４の別例であるフック状部４ａを備えるブーツハンガを示し、フック状部４ａは、平衡アーム５ａを有する平衡部３ａと相互に接続される。図１Ａにおいて、図１のフック４と比較して、フック状部４ａは１８０°回転している。任意の実施形態において、吊し部はフック状部４ａを含み、付加的に、あるいは、これに代えて、本発明の範囲から逸脱することなく、クローゼット棒２のような、吊し装置に対してここに開示される様々な実施形態によるブーツハンガを取り付けることに好適な本技術において周知の任意の一時的または恒久的取り付け手段を含む任意の好適な吊し部を含む。
【００２６】
図４を再び参照して、任意の取り付け装置や連結部のような任意の好適な吊し部４は、ブーツハンガ１乃至１ｘを相互に取り付け、これにより、本発明の範囲を逸脱することなく縦軸線Ｘ−Ｘに沿って吊される連続した、または「一連」の連結したブーツハンガを設けるために使用される。その例示的な装置は、図３乃至３Ｂ、図４、図１６、図１７、図１９、図２０、および図２２乃至２４に示す連結スリングおよび連結梯子として示すが、これらに限定されるものではない。図３および図４において、ブーツハンガシステムは、ブーツハンガシステムのＸ−Ｘ軸線に沿って一連のハンガを設けるようにブーツハンガ１から付加的なブーツハンガ１ａおよび１ｂ並びにブーツハンガ１ａ乃至１ｘをそれぞれ吊すために連結スリング１  １を使用する。そのような構成において、第１のブーツハンガ１のフックは、クローゼット棒２のような吊し装置に直接取り付けられる。サドル部１２を有する着脱自在な連結スリング１１は、ブーツハンガ１の平衡アーム５から吊される。一対の平行な脚部１３は、サドル１２から下方に延び、棒スタブ１４は、平行な脚部間を延びるとともに平行な脚部に固定される。連結スリング１１は、棒スタブ１４が縦軸線Ｘ−Ｘと並ぶとともにブーツハンガ１ａが棒スタブ１４から吊される位置で、ブーツハンガ１の平衡アーム５から吊される。同様に、第２の連結スリング１１は、ブーツハンガ１ａの平衡アーム５から吊され、ブーツハンガ１ｂは、棒スタブ１４から吊される。このように、一連のハンガに付加的なブーツハンガ１ａ乃至１ｘの各々が付加される連結処理は、最後のブーツハンガ、この例におけるハンガ１ｘが一連のハンガに連結されるまで繰り返される。このブーツハンガおよび連結構成および方法により、任意のユーザの異なるブーツ収納の要求に応えるべく必要に応じてブーツハンガ１ａ乃至１ｘを付加または取り払うことが単純化される。
【００２７】
図３Ａは、本ブーツハンガシステムにおいてブーツハンガを吊すことに使用される別例の連結スリング１５を示す。連結スリング１５は、第１の内径部１７および第２のより大きな内径部１８を有する側壁部１６によって形成される連続したループを備える。第１の内径部１７は、壁部１６の長さ部分に沿って延びるとともにブーツハンガの平衡アームから吊されるように構成される。第２の内径部１８は、壁部１６に沿って延び、かつ吊されるブーツハンガ１ａ乃至１ｘのフックに対応するとともにフックと係合する形状に形成される湾曲面１９を有する。別例の連結スリング１５は、例えば図３および図４のハンガ１ａ乃至１ｘと同様に、一連の吊されるハンガにおけるブーツハンガ１ａ乃至１ｘを取り付けることに使用される。使用時に、連結スリング１５の第１の内径端１７は、ブーツハンガ１のフックを覆うように滑動し、続いて下方に、かつ平衡アーム５上に滑動し、連結スリング１５の第２のより大きな内径部１８を縦軸線Ｘ−Ｘに並べるように位置される。
【００２８】
本ブーツハンガシステムと組み合わせて使用される別例による第３の吊し装置は、図３Ｂに示すような連結梯子アセンブリ２０を含む。連結梯子アセンブリ２０は、一対のサイドレール２２ａおよび２２ｂを有する単体の連結梯子２１を備え、第１の横棒２３がサイドレール２２ａおよび２２ｂ間を延びるとともにこれらのサイドレール２２ａおよび２２ｂの頂端部２４ａおよび２４ｂの近傍でサイドレール２２ａおよび２２ｂに固定され、第２の横棒２５がサイドレール２２ａおよび２２ｂ間を延びるとともにこれらのサイドレール２２ａおよび２２ｂの底端部２６ａおよび２６ｂの近傍でサイドレール２２ａおよび２２ｂに固定される。一対の連結梯子取り付けアーム２７ａおよび２７ｂは、サイドレール２２ａおよび２２ｂから上方向に延び、取り付けアームは、単体の連結梯子をクローゼット棒２等に取り付けるべくフック状吊し部２８ａおよび２８ｂのような吊し部をなすように形状を形成される。
【００２９】
図５を参照して、ブーツハンガ１乃至１ｘを吊すことに使用される単体の連結梯子２０が図示される。サイドレール２２ａおよび２２ｂ間の離間距離（例、サイドレール幅）は、平衡アーム５の厚みより大きく、これにより、この例においてはブーツハンガ１ａの平衡アーム５は、ブーツハンガ１の吊し部４が第１の横棒２３に取り付けられる際にサイドレール２２ａおよび２２ｂ間を延びる。ブーツハンガ１ａが横棒２３に取り付けられる際に、支持脚７ａおよび７ｂが連結梯子の反対側に沿って延びるように、支持脚７ａおよび７ｂ間の距離または間隙は、サイドレールの幅より大きい。ブーツハンガ１ｂは、図示のように単体の連結梯子２０の第２の横棒２５に取り付けられるとともに第２の横棒２５から吊され、連結梯子取り付けアーム２７ａおよび２７ｂは、ハンガ１のブーツ支持脚７ａおよび７ｂ間を延びる。ブーツハンガ１ａおよび１ｂは、横棒２３および２５からそれぞれ吊されるものとして図示される。図示の任意のブーツハンガ１は、吊し装置２（例えばクローゼット棒）に取り付けられ、平衡アーム５およびフック状の吊し部４は、取り付けアーム２７ａおよび２７ｂ間、並びに取り付けアームフック２８ａおよび２８ｂ間に位置される。
【００３０】
図３Ｂを再び参照して、連結梯子２０は任意により着脱自在な連結梯子拡張部２９をさらに備え、これにより、ブーツハンガは、収納を変更する必要がある場合に一連の吊されるブーツハンガに付加されるか取り払われる。連結梯子拡張部２９の各々は、係止ピン３１ａおよび３１ｂを備える一対のサイドレール３０ａおよび３０ｂを含み、係止ピン３１ａおよび３１ｂは、各サイドレールの上端３５ａおよび３５ｂの近傍に位置される。また、係止ピン３１ａおよび３１ｂは、複数の連結梯子拡張部２９が単体の連結梯子２０およびその要素に接続される場合に、連結梯子拡張部２９と係合するとともに連結梯子２０に、または隣接する連結梯子拡張部２９に設けられる開口３２から連結梯子拡張部２９を吊すように位置される。連結梯子拡張部の各々は、ブーツハンガを取り付けるための横棒３３を含む。また、横棒は、サイドレール３０ａおよび３０ｂの底端３４ａおよび３４ｂの近傍で、サイドレール３０ａおよび３０ｂ間を延びるとともにサイドレール３０ａおよび３０ｂに固定される。サイドレール３０ａおよび３０ｂの上方部３５ａおよび３５ｂは、弾性を備えるか、バネ状であり、係止ピン３１ａおよび３１ｂをこれらの対応する開口３２に挿入することにより、アセンブリに連結梯子拡張部を取り付けるための手段を提供する。任意の数の連結梯子拡張部が、ブーツ収納装置を変更する必要がある場合に、連結梯子アセンブリに付加されるか、連結梯子アセンブリから取り払われてもよい。
【００３１】
図面の図６乃至６Ｃおよび図７は、図１のブーツハンガ１と同様の別例によるブーツハンガ１０１を示すが、これは、さらに調整手段を備える。調整手段により、ユーザは、所望の目的の下方の傾斜面または傾斜角度シータΘを保持するために、様々な寸法および重量のブーツを調整するとともに収容することができる。上述した実施形態と同様に、少なくとも１つのブーツハンガ１０１はクローゼット棒のような吊し装置１０２に吊される。ブーツハンガ１０１は、フック状の吊し部１０４のような吊し部を含み、クローゼット棒等と係合するとともに平衡部１０３と一体的に形成される。平衡部１０３は、支持脚１０７ａおよび１０７ｂに固定される「Ｔ」字状後端部１０６を有する平衡アーム１０５を備え、支持脚の両者は、対応する上向きの角度をなす足部１０８ａおよび１０８ｂにて終端する。任意の実施形態において、後端部１０６は、厳密にＴ字状である必要はないが、付加的に、あるいはこれに代えて、後部６および１０６に接続される支持脚７および１０７が吊し部４および１０４の前側に向かって前方に延びる限り、Ｔ字状の実施形態のような鋭角をなすのではなくむしろ弧状であり、かつ／または湾曲する。
【００３２】
特に図６を参照して、支持脚１０７ａおよび１０７ｂの各々は、伸縮自在な、あるいは摺動する接続部１０９ａおよび１０９ｂを備え、これらにより、支持脚１０７ａおよび１０７ｂの長さは、所定の寸法のブーツを収容できるようにユーザによって選択的に増加または低減することができる。伸縮自在な接続部は、好ましくは、管状の支持脚部１０９ａおよび１０９ｂを含み、支持脚部１０９ａおよび１０９ｂは、後端１０６に関連付けられる対応するロッドまたはチューブ１１０ａおよび１１０ｂに摺動嵌合する内径を有する。支持脚１０７ａおよび１０７ｂの長さは、管状部１０９ａおよび１０９ｂ内の摺動棒１１０ａおよび１１０ｂによって所定のブーツの寸法に適合するように前方または後方に増減され、これにより、支持脚の長さは、図６に示す矢印１１２によって示されるように、増減される。
【００３３】
所定の寸法および所定の重量のブーツを収容するために各支持部７および１０７の長さを変更することにより、吊されるブーツハンガ１、１ａ乃至１ｘは、目的の傾斜角度シータΘの角度範囲外に回動し得る。目的の傾斜角度が保持されるように、ブーツハンガの回動を制御するために、平衡アーム１０５は、平衡アーム１０５の長さを増減可能な伸縮自在または摺動接続部１１１を備え、これにより角度シータΘを保持する。一実施形態において、アーム５および１０５の伸縮自在な接続部は、後端部１０６に関連付けられる対応する棒部またはチューブ１１３に摺動して嵌合する内径を有する管状部１１４を含む。摺動嵌合により、図６Ｂの矢印１１２ｃによって示すように前方または後方に平衡アーム１０５の棒部１１３を摺動させることによって目的の傾斜角度シータΘを保持する手段が得られる。平衡アーム１０５の調整は、支持脚１０７の調整から好ましくは独立したものであり、支持脚１０７ａおよび１０７ｂの長さを変更せずになされる。
【００３４】
図６Ｃおよび図７は、ブーツの所定の寸法およびブーツの所定の重量用に調整されるブーツハンガ１０１を示す。ブーツ９（図７）の軸体９ａは、調整される支持脚１０７ａおよび１０７ｂに支持され、角度をなす足部１０８ａおよび１０８ｂは、ブーツの甲部９ｂと係合する。
【００３５】
図６Ｄおよび図６Ｅを参照して、平衡アーム５および１０５、並びに／または支持脚７および１０７の長さを増減し、目的の傾斜角度Θを保持するように回動軸を中心としたブーツハンガの回動を制御することに付加的に、あるいは排他的に、回動は、平衡部３および１０３、並びに／または支持脚７および１０７の重量を増減することによっても制御される。図６Ｄは、一実施形態において、図６および図１０に概略を示すハンガの要素と同様の伸縮自在または摺動自在な連結部を有するブーツハンガ１０１に錘を付加したものを示す。平衡アーム１０５、および関連付けられる後端部１０６の摺動管状部材１１３、並びに管状部材１１０ａおよび１１０ｂは、有効な量の錘要素１２０で満たされる。有効な量の錘要素は、支持脚１０７ａおよび１０７ｂに吊されるブーツの重量と、支持脚および平衡アームの長さおよび重量との両者によって決定される。錘要素は、鋼または鉛の弾、砂、あるいは平衡アームに十分な錘を付加可能な他の好適に重いまたは高密度な材料を含み、これにより、回動を制御するとともに目的の傾斜角度を保持する。図６Ｄは、有効な量の錘材料を含む伸縮自在なブーツハンガの摺動管状部材１１３、１１０ａおよび１１０ｂ、並びに管状後端部１０６を示す。
【００３６】
図６Ｅは、伸縮自在なブーツハンガに錘要素を付加するための別例を示す。この例において、錘は、管状の摺動部材１１３、１１０ａおよび１１０ｂ、並びに管状の後端部１０６を、中実または非管状部と代えることにより付加され、これにより錘要素を付加し、回動軸を中心としたブーツハンガの回動を制御する。これにより、目的の傾斜角度Θが保持される。回動を制御するとともに目的の傾斜角度Θを保持するために、錘１２１が平衡部の後端部１０６に対してさらに取り付けられてもよく、これにより、有効な量の錘要素が設けられる。そのような錘１２１は、管状の後端部１０６および非管状の後端部１０６のいずれに付加されてもよい。
【００３７】
図６Ｄおよび図６Ｅは伸縮自在なブーツハンガに付加される錘要素を示すが、そのような錘要素が本発明の範囲から逸脱することなく非伸縮自在なブーツハンガに付加されてもよいものといえる。
【００３８】
図８および図９は、実施形態による別例のブーツハンガ２０１を示し、これにより、ブーツハンガ２０１は、上述するとともに図３Ｂに示した単体の連結梯子横棒２３および２５または連結梯子拡張部の横棒３３の前側に取り付けられるか前側から取り払われる。図５およびその対応する記載をまず参照すると、使用されると連結梯子拡張部２９のサイドレールと同様に単体の連結梯子２１のサイドレールも、ブーツハンガ吊し部４の前側からの連結梯子横棒２３および２５、並びに梯子拡張部の横棒３３への直接的な取り付けを防止する。この理由として、吊し部４（フック等）が連結梯子の横棒２３および２５に対して吊し装置２（ここではクローゼット棒）のＸ−Ｘ軸線の前側から直接取り付けられる場合に、連結梯子のサイドレール２２ａおよび２２ｂがブーツハンガ１の後端部６を妨害し、ブーツハンガ１がＸ−Ｘ軸線の後側から前側に自由に移動することを防止することが挙げられる。図５に示すようなブーツハンガ１および１ａを、あるいは付加的な同様のブーツハンガを梯子拡張部２９に取り付けるために、ブーツハンガ１のフック状の吊し部４および平衡アーム５が平行なサイドレール２２ａおよび２２ｂ間に挿入され、ブーツハンガ支持脚７ａおよび７ｂが梯子のサイドレール２２ａおよび２２ｂをまたがる必要がある。ブーツハンガ吊し部４は、サイドレール２２ａおよび２２ｂ間を通過して吊し装置２またはＸ−Ｘ軸線の前側に至った後に、横棒２３および２５等によって連結梯子２０に取り付けられ、また、これに代えて、連結梯子からブーツハンガ１を引き出すために、同じ処理が逆に行われる必要がある。
【００３９】
図８および図９に示す別例によるブーツハンガは、ブーツハンガ２０１を設けることにより上述した課題を解決する。ブーツハンガ２０１は、クローゼット棒２のような吊し装置、あるいは横棒２３、２５や、３３のような、連結梯子２０の横棒に取り付けられるフック状吊し部２０４のような吊し部と、一定間隔で設けられる平衡アーム２０５ａおよび２０５ｂとを備える。平衡アーム２０５ａおよび２０５ｂは、「Ｕ」字状前端部２１０から「Ｕ」字状後端部２０６ａおよび２０６ｂに向かって後方に延びる。平衡アーム２０５ａおよび２０５ｂは、連結梯子アセンブリ２０における横棒からブーツハンガを吊すことを促進する空隙を設けるために一定間隔で位置される。第１のブーツ支持脚２０７ａは「Ｕ」字状後端部２０６ａから前方に延び、上向きに角度をなす足部２０８ａで終端する。同様に、第２のブーツ支持脚２０７ｂは「Ｕ」字状後端部２０６ｂから前方に延び、上向きに角度をなす足部２０８ｂで終端する。ブーツ支持脚２０７ａおよび２０７ｂの両者は、対応する平衡アーム２０５ａおよび２０５ｂから一定間隔で配置される。図９に示すように、ブーツハンガ２０１は、棒２の前側から連結梯子の横棒２３、２５や、３３に取り付け可能である。その理由として、２本の一定間隔で位置される平衡アーム２０５ａおよび２０５ｂが、前側から挿入される際に、平衡アームを連結梯子のサイドレールにまたがらせる開放端部２０９による空隙を設けることが挙げられる。
【００４０】
図１０は図８のブーツハンガと同様の別例によるブーツハンガ３０１を示すが、目的の傾斜角度シータΘを保持するように、所定の寸法および所定の重量の両者のブーツを収容するための調整手段を備える。上記実施形態において上述したように、少なくとも１つのブーツハンガ３０１は、クローゼット棒等から延びる縦軸線に沿って吊される。ブーツハンガ３０１は、フック３０４のような吊し部と、一定間隔で位置される平衡アーム３０５ａおよび３０５ｂを備える平衡部３０３とを含む。平衡アーム３０５ａおよび３０５ｂは、「Ｕ」字状前端部３１０から対応する「Ｕ」字状後端部３０６ａおよび３０６ｂに向かって後方に延びる。平衡アーム３０５ａおよび３０５ｂは、伸縮自在または摺動接続部３１１ａおよび３１１ｂを備え、これらにより、各アームの長さは、吊されるブーツの寸法および重量に応じて目的の傾斜角度シータΘを保持するように増減される。
【００４１】
第１のブーツ支持脚３０７ａは「Ｕ」字状の後端部３０６ａから前方に延び、フック３０４の前側に沿って上向きの角度をなす足部３０８ａで終端する。同様に、第２のブーツ支持脚３０７ｂは「Ｕ」字状後端部３０６ｂから前方に延び、上向きの角度をなす足部３０８ｂで終端する。ブーツ支持脚３０７ａおよび３０７ｂの両者は、それぞれの平衡アーム３０５ａおよび３０５ｂから外方に位置され、支持脚３０７ａおよび３０７ｂの両者は、伸縮自在または摺動接続部３０９ａおよび３０９ｂを備え、これらにより、支持脚３０７ａおよび３０７ｂの長さは、ブーツの寸法に応じて増減される。
【００４２】
図１１は、ブーツの所定の重量およびブーツの所定の寸法のために調整された、ブーツハンガ３０１の平衡アーム摺動接続部３１１ａおよび３１１ｂ、並びにブーツの所定の寸法のために調整された支持脚摺動接続部３０９ａおよび３０９ｂを示す。
【００４３】
図１２は、上述したように連結梯子アセンブリ２０に対して前側から直接取り付けさせる別例によるブーツハンガ４０１を示す。ブーツハンガ４０１は、ブーツを吊すための一対の対向する手構造体を備え、１本の屈曲した棒から形成され、開ループの形状に形成されるフック４０４のような吊し部を備える。フック４０４で、棒は、対向する手ブーツハンガ構造体に形成される２本の半部に分割される。２つの構造体のうち第１のものは、フック４０４と一体的な平衡部４０３ａを備えるとともにフック４０４の前側から「Ｕ」字状後端部４０６ａに向かって後方に延びる平衡アーム４０５ａを備える。第１のブーツ支持脚４０７ａは、「Ｕ」字状後端部４０６ａから前方に延び、ループ状のフック４０４の前側に沿って上向きの角度をなす足部４０８ａで終端する。同様に、第２あるいは反対側の構造体は、フック４０４と一体的な平衡部４０３ｂを備えるとともにフック４０４の前側から「Ｕ」字状後端部４０６ｂに向かって後方に延びる平衡アーム４０５ｂを備える。第２のブーツ支持脚４０７ｂは、「Ｕ」字状後端部４０６ｂから前方に延び、ループ状のフック４０４の前側に沿って上向きの角度をなす足部４０８ｂで終端する。上述したように、ブーツハンガ４０１は、連結梯子アセンブリの前側から連結梯子の横棒に取り付けられる。その理由として、間隔をおいて設けられる２本の平衡アーム４０５ａおよび４０５ｂが、前側から挿入される際に、平衡アームが連結梯子のサイドレールをまたがるようにする開放端部４０９を備えることが挙げられる。
【００４４】
図１３、図１４、および図１５は、一連の吊されるブーツハンガ１乃至１ｘが装填されているか装填されていないかに関わらず同じ目的の傾斜角度シータΘでブーツハンガ１乃至１ｘを整列させるために使用される連結棒４０を示す。連結棒４０は、左手接続端部４１と右手接続端部４２との間を延びる、長尺状をなす棒を含む。使用の際に、連結棒４０の接続端部４１および４２は、隣接するブーツハンガの後端部６から外方に延びるタブ４３に枢動自在に取り付けられ、左右にずれた接続端部４１および４２は、枢動タブ４３の中心線に沿って連結棒４０と並べられ、接続されたブーツハンガ間のトルクやねじれを取り除くか低減する。連結棒４０は、ブーツ収納を変更する必要がある場合に、ブーツハンガの付加または取り払いに応じてブーツハンガシステムに付加されるかブーツハンガシステムから取り払われる。図１５に示すような一連の吊されるブーツハンガにおいて、連結棒４０乃至４０ｘの鎖は、平行四辺形と同様に協働するとともに機能する。連結棒の枢動自在に接続される鎖により、ブーツハンガ１乃至１ｘの各々は、ハンガ１および１ａに示すようにブーツ９が装填されてもハンガ１ｘに示すように装填されなくても一致して目的の傾斜角度シータΘに回動する。
【００４５】
しかしながら、連結棒４０は図１と同様のブーツハンガの接続端部に取り付けられるものとして図示されるが、そのような連結棒４０は、ここに示す（図１乃至８および図１２を含むが、これらに限定されるものではない）実施形態によるブーツハンガのうちの任意のものに取り付けられ、また、本発明の範囲を逸脱することなく、棒４０は、剛性または可撓性を備えるものとして設けられるものといえる。
【００４６】
図１６および図１７は、本発明で使用されるさらなる別例を示す。この共通のかつモジュール式の連結梯子５００は、収納を変更する必要がある場合に、任意の一連の吊される連結梯子に付加されるか、連結梯子から取り払われる。連結梯子５００の各々は、フック５０２ａおよび５０２ｂのような吊し部を備える一対のサイドレール５０１ａおよび５０１ｂを備え、フック５０２ａおよび５０２ｂのような吊し部は、対応するサイドレール５０１の上端部近傍に位置される。また、フック５０２ａおよび５０２ｂのような吊し部は、複数の連結梯子５００が梯子およびハンガストリングアセンブリに、あるいはその任意の要素に接続される際に、クローゼット棒、あるいはこれに代えて別の連結梯子５００の横棒５０６と係合するように位置される。フック５０２ａおよび５０２ｂの受承部は、凹面の上側表面５０３ａおよび５０３ｂを含む。上側表面５０３ａおよび５０３ｂは、クローゼット棒または別の連結梯子５００の横棒５０６に対する接続部を収容する径を有し、好ましくは、最も大きい共通のクローゼット棒に略整合する径を有する。凹面の上側表面５０３ａおよび５０３ｂの後端部で、縦の面５０４ａおよび５０４ｂは横棒５０６に向かって下方に延び、また、凹面の上側表面５０３ａおよび５０３ｂの前端部で、縦の面５０５ａおよび５０５ｂは横棒５０６に向かって下方に延びる。縦の面５０４ａおよび５０４ｂ、並びに縦の面５０５ａおよび５０５ｂは、クローゼット棒から吊される際に、クローゼット棒または他の吊し装置に対して前方および後方に位置されるように、互いに対向するように位置される。連結梯子５００の各々は、後述するようなブーツハンガ１および６０１、あるいは別の連結梯子５００を支持するための横棒５０６を備える。横棒５０６は、サイドレール５０１ａおよび５０１ｂ間を延びるとともにサイドレール５０１ａおよび５０１ｂに対してこれらの底端部の近傍で固定される。また、横棒５０６は、フック５０２ａおよび５０２ｂが別の連結梯子５００の横棒５０６から吊される際に、フック５０２ａおよび５０２ｂが遊びがほとんどなく適合するように、フック５０２ａおよび５０２ｂの受承部と略整合するような外形に形成されるとともに配向される。対のフック５０２ａおよび５０２ｂおよびフック受承部の対応する形状、並びに横棒５０６は、吊される連結梯子アセンブリ５００を安定させるとともに共通の使用で所定の寸法および形状のほとんどのクローゼット棒や他の吊し装置を収容するように設計され、これにより、クローゼット棒および別の連結梯子５００のうちのいずれかから吊すことができる単一の連結梯子装置を設ける。任意の数の連結梯子５００が、ブーツ収納を変更する必要がある場合に、１つ以上の連結梯子５００のアセンブリに付加されるか、アセンブリから取り払われてもよい。
【００４７】
図１６、図１７、図１８、図１９および図２０を参照して、本ブーツハンガシステムの別例は、クローゼット棒２のような支持部から吊される少なくとも１つのブーツハンガ装置６０１を含む。実施形態によるブーツハンガ４０１と同様に、ブーツハンガ６０１は、ここに開示される実施形態の連結梯子のうちの任意のものに前側から直接取り付けられる。ブーツハンガ６０１は、ブーツ９を吊すための一対の対向する手構造体を備え、一本の所定の長さの棒から形成され、所望の形状に屈曲され、図１８に示すような開ループの形状に好ましくは形成されるフック６０４のような吊し部を備える。フック６０４で、棒の長さが２つの等しいミラー像の部分に分割されて、ハンガ６０１の対向する手ブーツハンガ部を形成する。第１の構造体は、フック６０４と一体的な第１の平衡アセンブリ６０３ａを備えるとともにフック６０４の前側から「Ｕ」字状後端部６０６ａに向かって後方に延びる平衡アーム６０５ａを備える。第１のブーツ支持脚６０７ａは、「Ｕ」字状後端部６０６ａから前方に延び、ループ状のフック６０４の前側に沿って上向きの角度をなす足部６０８ａで終端する。同様に、第２あるいは反対側の手構造体は、フック６０４と一体的な平衡アセンブリ６０３ｂを備えるとともにフック６０４の前側から「Ｕ」字状後端部６０６ｂに向かって後方に延びる平衡アーム６０５ｂを備える。第２のブーツ支持脚６０７ｂは、「Ｕ」字状後端部６０６ｂから前方に延び、ループ状のフック６０４の前側に沿った上向きの角度をなす足部６０８ｂで終端する。上述したように、ブーツハンガ６０１は、連結梯子アセンブリの前側から連結梯子の横棒（横棒５０６等）に取り付けられる。その理由として、一定間隔で設けられる２本の平衡アーム６０５ａおよび６０５ｂが、前側から挿入される際に、平衡アームが連結梯子のサイドレール５０１ａおよび５０１ｂをまたがるように開放端部６０９を備えることが挙げられる。
【００４８】
平衡アーム６０５ａおよび６０５ｂ並びに後端部材６０６ａおよび６０６ｂは、支持脚６０７ａおよび６０７ｂの後部とともに、装填したブーツハンガ６０１全体が吊された支持体を中心として目的の下方の傾斜面または傾斜角度に回動するようにブーツ９（図１９）が支持脚６０７ａおよび６０７ｂに吊される際に、ループフック６０４に作用する回動力を制御する。平衡アーム６０５ａおよび６０５ｂ、後端部材６０６ａおよび６０６ｂ、並びにブーツ支持脚６０７ａおよび６０７ｂの後部の組み合わされた長さおよび重量は、予め決定され、これにより、ブーツハンガ６０１は、図１９に示すように、ブーツが装填される際に、目的の傾斜角度シータΘを有する下方の傾斜面に回動する。この装填状態において、図１９のブーツハンガ６０１ａ、６０１ｃ、および６０１ｘに示すように、支持脚６０７ａおよび６０７ｂは、吊されるブーツの軸体９ａ内にあり、角度をなす足部６０８ａおよび６０８ｂは、甲部９ｂと係合し、つま先部９ｃを上方向に保持する。目的の傾斜角度シータΘは、支持されるブーツ９の重量分配に応じて変化するが、好ましくは、水平軸線Ｙ−Ｙの下約６５度未満であり、約２５度の好ましい目的の傾斜角度シータΘであり、好ましくは約１度より大きい。そのような好ましい浅い目的の傾斜角度により、上述したような公知のブーツハンガ装置と比較すると、より多くのブーツハンガ６０１を縦軸線Ｘ−Ｘに沿って吊すことができるため、縦の収納空間の利用が改善される。非装填状態、すなわち吊されるブーツ９がない状態において、図１９のブーツハンガ６０１および６０１ｂに示すように、ブーツハンガ６０１の傾斜角度は、目的の傾斜角度未満であり、「傾斜角度＜Θ」と表される。ブーツハンガ装置６０１は、ここではブーツハンガ６０１ｄで示す複数のブーツハンガ６０１が縦軸線Ｘ−Ｘに沿って吊される際に、ブーツの取り払いおよび挿入が容易にできるように十分な空隙を設けるようにさらに構成される。ブーツ支持脚６０７ａおよび６０７ｂはフック６０４から設けられ、これにより、ブーツ支持脚６０７ａおよび６０７ｂ、並びにこれらに支持される拡張部の任意のブーツ９は、ブーツハンガ６０１が吊される支持装置２を中心としてブーツハンガ６０１が回動する際に、大きな弧を描くように移動する。これにより、上向きに角度をなす足部６０８ａおよび６０８ｂ、並びにブーツ支持脚６０７ａおよび６０７ｂの前部は、前方および上方に移動する。これにより、隣接するブーツハンガ６０１が直上および／または直下に位置されても、ブーツ９を容易に挿入および取り払うことが促進される。
【００４９】
図２１乃至２１Ｃを参照して、本ブーツハンガシステムの別例は、クローゼット棒２のような支持装置に吊される少なくとも１つのブーツハンガ装置７０１を含む。実施形態におけるブーツハンガ７０１は、プラスチック、様々な金属、あるいは他の任意の好適かつ強力な、堅固かつ耐久性を備える材料からモールド成型される。これは、一体的にモールド成形されても、複数の個別の部品としてモールド成形された後に完成品としてのブーツハンガ７０１に組み立てられてもよい。ブーツハンガは、ここに開示される任意の他の連結部と個別にあるいは組み合わせて使用されてもよい。ブーツハンガ７０１は、その平衡部７０３が吊し部７０４（ここではフック）から後端部材７０６へのより直接的な通路を通過し、これにより、ブーツハンガ７０１の外観が単純化され、その製造中に消費される材料の量が低減されるという点において、他の実施形態とはさらに区別される。ブーツハンガ７０１における平衡部７０３が通過するより直接的な通路を、本発明の範囲から逸脱することなくここに開示される任意の他の実施形態に組み込むことができるものといえる。
【００５０】
ブーツハンガ７０１は、クローゼット棒２等のような支持装置に対してブーツハンガ７０１を係合させるとともに取り付けるように形状を形成されるフック７０４のような吊し部を備える。フック７０４は、フック７０４の後側から生じる平衡部７０３と相互に接続され、好ましくは一体的に形成される。平衡部７０３は、フック７０４に対して下方にかつ後方に、フック７０４の後側に沿って位置される「Ｔ」字状後端部材７０６に向かって延びる。「Ｔ」字状後端部材７０６は、第１のブーツ支持脚７０７ａおよび第２のブーツ支持脚７０７ｂに取り付けられる。第１のブーツ支持脚７０７ａは、前方に延びるとともに、平衡部７０３から外側の位置でフック７０４の前側に沿って位置される上向きの角度をなす足部７０８ａを備える。第２のブーツ支持脚７０７ｂは、前方に延びるとともに、平衡部７０３から外側の位置でフック７０４の前側に沿って位置される上向きの角度をなす足部７０８ｂを備える。ブーツ支持脚７０７ａは支持脚７０７ｂとは一定間隔で配置される。本実施形態において、後端部材７０６、ブーツ支持脚７０７ａおよび７０７ｂ、並びに上向きの角度をなす足部７０８ａおよび７０８ｂは、上側表面が実質的に凸面であり、下側表面が実質的に凹面であり、これにより、これらは、型枠から容易に取り払われ、部分の剛性を最大限にするとともに製造に使用される材料の量を最小限に保持する。明示的に図示しないが、上記モールド成形の実施形態は、いくつかの部分の剛性を増加させるために、リブ、ひかえ板、および／または他の要素をさらに組み込むことが予想される。さらに、いくつかの部分はモールド成型されるが、他の部分は、切断、屈曲、あるいは熱成形され、異なる部分は異なる材料から構成される。例えば、後端部材７０６、支持脚７０７ａおよび７０７ｂ、並びに上方向に角度をなす足部７０８ａおよび７０８ｂは、プラスチックからモールド成型されるが、フック７０４および平衡アセンブリ７０３は、金属棒が屈曲され、続いてブーツハンガアセンブリの残部に取り付けられる。これらはすべて本発明の範囲から逸脱しない。
【００５１】
支持脚７０７ａおよび７０７ｂ並びに上方向に角度をなす足部７０８ａおよび７０８ｂの両者は、支持脚７０７ａおよび７０７ｂが吊されるブーツ９を十分に支持するとともに、角度をなす足部７０８ａおよび７０８ｂが甲部と係合するように有効な長さを含む。これにより、上方向につま先部が保持され、ブーツ９およびブーツ９の内側部および／または軸体が支持脚７０７ａおよび７０７ｂに沿って摺動することが防止される。これにより、ブーツはハンガに弾性的に保持され、また、ブーツの形状は保持される。
【００５２】
平衡部７０３および後端部材７０６は、支持脚７０７ａおよび７０７ｂの後部とともに、ブーツ９が支持脚７０７ａおよび７０７ｂに吊される際にフック７０４に作用される回動力を制御し、これにより、装填されるブーツハンガ７０１全体が、目的の下方の傾斜面または傾斜角度Θに、吊しのその点を中心として回動する。平衡アセンブリ７０３、後端部材７０６、並びにブーツ支持脚７０７ａおよび７０７ｂの後部の組み合わされた表面形状および重量、並びに吊されるブーツハンガ７０１の質量の中心は、予め決定され、これにより、ブーツハンガ７０１は、ブーツが装填される際に、目的の傾斜角度シータΘを有する下方の傾斜面に回動する。図２１にさらに示すように、取手部７０９はユーザがハンガ７０１を利用するのを支援するために任意により設けられる。取手部７０９は、フック状部７０４のような、好ましくはハンガ７０１の吊し部に取り付けられているが、平衡部７０５のような他の部分にも取り付けられ得る。取手部７０９は、好ましくは支持脚７０７および足部７０８と同じ前方に延びる。
【００５３】
図２２、図２３および図２４は、本発明のさらなる別例を示す。ここに開示される他の連結梯子と同様に、この連結梯子８００は、ユーザのブーツ収納を変更する必要がある場合に、吊される一連の連結梯子８００に対して付加されるか、あるいは連結梯子８００から取り払われ得る。連結梯子８００の各々は、フック８０２のような吊し部を備えるレール８０１を備え、フック８０２のような吊し部は、レール８０１の上端部近傍に位置される。また、フック８０２のような吊し部は、複数の連結梯子８００が梯子アセンブリを形成するように直列に接続される際等に、クローゼット棒（または他の吊し装置）、あるいはこれに代えて別の連結梯子８００の横棒８０６と係合するように位置される。図示のように、フック８０２の受承部は、凹面の上側表面８０３を含む。上側表面８０３は、クローゼット棒または別の連結梯子８００の横棒８０６のような吊し装置に対する接続部を収容する径を有し、好ましくは、最も大きい共通して使用されるクローゼット棒に略整合する径を有する。凹面の上側表面８０３の後端部で、縦の側壁面８０４は、横棒８０６に向かって下方に延び、また、凹面の上側表面８０３の前端部で、縦の側壁面８０５は、横棒８０６に向かって下方に延びる。縦の面８０４および８０５は、クローゼット棒から吊される際に、クローゼット棒または他の吊し装置に対して前方および後方に位置されるように、互いに対向するように位置される。フック８０２は、左方に向かって水平に延びるとともにその右側でフック８０２の左側に固定される部分のようなオフセット部８０７によりさらに構成される。図２４に示すように、オフセット部８０７は、実質的に凸面の内側縁部８０９および実質的に凹面の外側縁部８１０を備えた断面８０８を有する。断面８０８の外側縁部８１０は、オフセット部８０７の外側周面に沿ったチャンネルを形成し、制限しない例により図２１に示すハンガ７０１のようなハンガの吊し部に取り付けられるように構成される。断面８０８の内側縁部８０９は、上側オフセット部８０７の内周面に沿って隆起部を形成する。連結梯子の各々は、ブーツハンガ７０１あるいは他の連結梯子８００に取り付けられる横棒８０６を含む。横棒８０６は、右に向かって水平に延び、その左側でレール８０１の右側に対してその底端部の近傍で固定される。また、横棒８０６は、フック８０２の受承部およびオフセット部８０７の内周面に略整合するように構成され、これにより、フック８０２および関連付けられるオフセット部８０７は、別の連結梯子８００の横棒８０６に取り付けられる際に、ほとんど遊びなく適合する。連結梯子８００は、好ましくは、オフセット部８０７が前面および矢状面の両者で横棒８０６の中心に位置されるようにさらに構成され、これにより、レール８０１は、横棒８０６の左側へのその接続部に向かって下方に延びると、右から左に向かって正面を交差する。フック８０２受承部の対応する形状、そのオフセット部８０７、並びに横棒８０６は、吊される連結梯子アセンブリ全体（ブーツ９に相互接続されるハンガ７０１および連結部８００を含む）を安定させるとともに共通の使用で所定の寸法および形状の、クローゼット棒２のようなほとんどの吊るし装置を収容するように設計され、これにより、クローゼット棒および別の連結梯子８００のうちのいずれかから吊るすことができる連結梯子８００を設ける。任意の数の連結梯子８００が、ブーツ収納装置を変更する必要がある場合に、調整のために連結梯子アセンブリに付加されるか、連結梯子アセンブリから取り払われてもよい。
【００５４】
ここに開示される実施形態において、ブーツハンガはクローゼット棒から通常吊される可能性が高いが、十分な強度を有する他の支持部が、所望の数のブーツをブーツハンガに吊すために、適切な高さに位置されることも等しく好適であると考えられるものといえる。そのような別例の支持部は、特に連結部、フック、ピン、釘、ボルト、棚、ひも、ロープ、ケーブル、鎖、物干し綱、木、大枝、根太、棒、チューブ、ループ、リング、ボールジョイントを含むがこれらに限定されるものではない。
【００５５】
実施形態の多くは、支持脚７ａ、７ｂ、１０７ａ、１０７ｂ以下の上向きの角度をなす足部８ａ、８ｂ、１０８ａ、１０８ｂ以下が「前方に」位置されるように（すなわち、クローゼットの開放前部に面し、したがって、靴底がユーザに対して対向しない）配向されるブーツハンガ装置１、１０１以下を吊すことを開示するが、装置は、反対の構成で吊されてもよいと十分に考えられる。例えば、装置は、各支持脚の上向きの足部（および、これに伴いそこに吊される任意のブーツの靴底）が、ユーザに対向しないように（すなわち、クローゼットの背面に向かって）吊される。後者の場合において、ハンガは、好ましくは取手部７０９（図２１）を備えず、また、フック４、１０４以下は、好ましくは図１Ａおよび図２１乃至２１Ｃに示すように上向きに角度をなす足部に面する側で吊し装置２、１０２以下を受承するように配向される。フックの配向により、ユーザが前方に位置される上向きに角度をなす足部と組み合わせてブーツハンガ装置を使用することを妨げられる必要はない。
【００５６】
ここに開示される実施形態によるブーツハンガはすべて、個別に、あるいは軸線Ｘ−Ｘに沿って複数のブーツハンガを縦に連結する連結スリング、連結梯子や、他の好適な手段と組み合わせて使用されることが意図される。クローゼット棒や他の吊し装置からブーツハンガを吊すために使用される吊し部は、前方または後方に配向される開口部を有する。例えば、フック状の吊し部は、開示される本発明から逸脱することなく、本技術において周知の縦の配向のブーツハンガおよび連結部を吊す任意の好適な手段に代えられてもよい。
【００５７】
したがって、一列、あるいは「一連」のブーツハンガおよび任意により連結部を吊すブーツハンガシステムにおいて任意により使用されるブーツハンガであって、好ましくは共通の縦軸線に沿って目的の傾斜角度シータΘに保持されるブーツハンガの所定の構成および方法が開示された。もちろん、当業者は、ここの本発明概念の意図した精神および範囲から逸脱することなく本開示の教示から様々な変更、修正および改変を考慮してもよい。さらに、本開示を解釈する際に、用語はすべて明細書文脈と一致するできるだけ広い態様で解釈されるべきである。特に、用語「含む」は、非排他的に要素、コンポーネントや、工程を参照するものと解釈される必要があり、これは、参照される要素、コンポーネントや、工程が存在し、使用され、あるいは、明白に参照していない他の要素、コンポーネントや、工程と組み合わされることを示す。本発明の原理を好ましい実施形態に関して上述したが、本明細書は、例示に過ぎず、発明の範囲を制限するものではないものといえる。
【図１】
0006346182.tif 000002
【図１Ａ】
0006346182.tif 000003
【図２】
0006346182.tif 000004
【図３】
0006346182.tif 000005
【図３Ａ】
0006346182.tif 000006
【図３Ｂ】
0006346182.tif 000007
【図４】
0006346182.tif 000008
【図５】
0006346182.tif 000009
【図６】
0006346182.tif 000010
【図６Ａ】
0006346182.tif 000011
【図６Ｂ】
0006346182.tif 000012
【図６Ｃ】
0006346182.tif 000013
【図６Ｄ】
0006346182.tif 000014
【図６Ｅ】
0006346182.tif 000015
【図７】
0006346182.tif 000016
【図８】
0006346182.tif 000017
【図９】
0006346182.tif 000018
【図１０】
0006346182.tif 000019
【図１１】
0006346182.tif 000020
【図１２】
0006346182.tif 000021
【図１３】
0006346182.tif 000022
【図１４】
0006346182.tif 000023
【図１５】
0006346182.tif 000024
【図１６】
0006346182.tif 000025
【図１７】
0006346182.tif 000026
【図１８】
0006346182.tif 000027
【図１９−２０】
0006346182.tif 000028
【図２１】
0006346182.tif 000029
【図２１Ａ】
0006346182.tif 000030
【図２１Ｂ】
0006346182.tif 000031
【図２１Ｃ】
0006346182.tif 000032
【図２２】
0006346182.tif 000033
【図２３】
0006346182.tif 000034
【図２４】
0006346182.tif 000035